(57)【要約】【課題】錠剤用容器本体をなるべくコンパクトな構造にし、かつ錠剤を１錠ずつ確実に取り出すことができる錠剤用容器を提供する。【解決手段】錠剤ｔを収納する錠剤用容器１を、外筒２と、前記外筒２に対して相対的にスライド可能な内筒３と、前記内筒３の上端を塞ぐキャップ４と、から構成し、前記内筒３には、前記錠剤ｔを収納する収納部３１と前記錠剤ｔを取り出す取り出し口３４を設け、前記外筒２の下端には、前記収納部３１内に収納された錠剤ｔが取り出される際に、前記取り出し口３４を前記外筒３の外部に突出させる突出口２１を設け、前記外筒２と前記内筒３の一方又は双方に、前記収納部３１から移動する錠剤ｔの姿勢を変換させて前記取り出し口３４に導く姿勢変換部３２と前記錠剤ｔの移動を規制する規制部３３を設けることにより、錠剤を１錠ずつ取り出せ、かつコンパクトな錠剤用容器とすることが出来る。【選択図】図４
2019119479.tif 000002
【特許請求の範囲】
【請求項１】
錠剤（ｔ）を収納する錠剤用容器（１）であって、
外筒（２）と、前記外筒（２）に対して相対的にスライド可能な内筒（３）と、前記内筒（３）の上端を塞ぐキャップ（４）と、を有して構成され、
前記内筒（３）には、前記錠剤（ｔ）を収納する収納部（３１）と前記錠剤（ｔ）を取り出す取り出し口（３４）が設けられ、
前記外筒（２）の下端には、前記収納部（３１）内に収納された錠剤（ｔ）が取り出される際に、前記取り出し口（３４）を前記外筒（３）の外部に突出させる突出口（２１）が設けられており、
前記外筒（２）と前記内筒（３）の一方又は双方に、前記収納部（３１）から移動する錠剤（ｔ）の姿勢を変換させて前記取り出し口（３４）に導く姿勢変換部（３２）と前記錠剤（ｔ）の移動を規制する規制部（３３）が設けられていることを特徴とする錠剤用容器。
【請求項２】
前記姿勢変換部（３２）と前記規制部（３３）は、前記内筒（３）に設けられており、
前記収納部（３１）と前記取り出し口（３４）の間において、前記姿勢変換部（３２）は、前記収納部（３１）と前記規制部（３３）の間に設けられ、前記規制部（３３）は、前記姿勢変換部（３２）と取り出し口（３４）の間に設けられていることを特徴とする、請求項１に記載された錠剤用容器。
【請求項３】
前記規制部（３３）は、前記内筒（３）がスライドして前記取り出し口（３４）を前記突出口（２１）に突出させる際に、取り出し口（３４）から取り出される最下位の錠剤（ｔ１）の上にある次位の錠剤（ｔ２）を、前記規制部（３３）に対向する面に押し付けて、前記規制部（３３）と前記対向する面とで挟持することを特徴とする請求項１又は請求項２に記載された錠剤用容器。
【請求項４】
前記規制部（３３）は、前記外筒の下端から上端に向かって立設された接触部（２２）と当接することにより、前記次位の錠剤（ｔ２）を、前記規制部（３３）の対向する面に押し付けることを特徴とする請求項３に記載された錠剤用容器。
【請求項５】
前記規制部（３３）は、弾性変形可能な部材で形成されていることを特徴とする請求項１から請求項４のいずれか１項に記載された錠剤用容器。
【請求項６】
前記取り出し口（３４）には、前記錠剤（ｔ）が取り出される方向に向かって凹面となるような面を有する錠剤取り出し補助部（３５）が形成されていることを特徴とする、請求項１ら請求項５のいずれか１項に記載された錠剤用容器。
【請求項７】
前記姿勢変換部（３２）は、前記収容部（３１）に収容されている錠剤を前記取り出し口（３４）方向に送る経路を狭くする方向に傾斜した傾斜面（ｄ）で形成されていることを特徴とする、請求項１から請求項６のいずれか１項に記載された錠剤用容器。
【請求項８】
前記外筒（２）と前記内筒（３）は、前記外筒（２）の下端を形成する端面（２４）に対応する内側の面（２３）と前記内筒（３）との間に設けられた付勢部材（５）によって互いに付勢されていることを特徴とする、請求項１から請求項７のいずれか１項に記載された錠剤用容器。
【発明の詳細な説明】
【技術分野】
【０００１】
本発明は、錠剤を収容する錠剤用容器に関するものであり、特に、偏平な錠剤いわゆるタブレットを収容するために好適な錠剤用容器に関する。
【背景技術】
【０００２】
従来の錠剤用容器では、特許文献１に記載されているように、容器本体３はスライダー４とスライダー４に対してスライド方向奥側に錠剤収容空間を有し、スライダー４に設けられた錠剤計量部８に所定の錠剤が収容され、スライダー４を引き出すことにより、錠剤計量部８に収納された錠剤を取り出すことが出来るようなっている。
ここで、錠剤計量部８にはストッパー１２が設けられており、スライダー４が引き出し位置（錠剤を取り出し可能な位置）にある時には、錠剤計量部８の後端開口が前記ストッパー１２と当該ストッパー１２に対向する位置にある案内壁７とによって狭められ、錠剤収容空間からの錠剤の流入が阻止される構造になっている（段落００２５、００２８、図５等）。
【０００３】
上述した構造により、特許文献１に記載されている錠剤用容器では、錠剤計量部８に収納可能な所定量以上の錠剤は、スライダー４が引き出された時には錠剤計量部８に流入しないため、錠剤計量部８に収納された所定量の錠剤を取り出すことが可能である。
【先行技術文献】
【特許文献】
【０００４】
【特許文献１】特許第６０８６７７６号
【発明の概要】
【発明が解決しようとする課題】
【０００５】
しかし、特許文献１に記載されている錠剤用容器では、図４に示されたように、錠剤（錠剤の偏平な面）が本体３の底面に載置されるような状態で収納されているため、錠剤収容空間を大きくしなければならず容器本体が大きくなるという問題があった。
また、スライダー４には錠剤計量部８が設けられ、錠剤収容空間部から当該錠剤収容空間部に収容されたままの姿勢で所定量の錠剤を取り出すこととなり、また、スライダー４自体は一定の長さ（奥行）を持っているので、錠剤計量部８には常時複数の錠剤が収容され、一錠ずつ取り出しにくいという問題があった。
【０００６】
そこで本発明はこの様な問題に鑑みなされたものであり、その目的は、錠剤用容器本体をなるべくコンパクトな構造にし、かつ錠剤を１錠ずつ確実に取り出すことができる錠剤用容器を提供することにある。
【課題を解決するための手段】
【０００７】
上記課題を解決するために、本発明の第１の態様に係る錠剤用容器は、錠剤を収納する錠剤用容器であって、外筒と、前記外筒に対して相対的にスライド可能な内筒と、前記内筒の上端を塞ぐキャップと、を有して構成され、前記内筒には、前記錠剤を収納する収納部と前記錠剤を取り出す取り出し口が設けられ、前記外筒の下端には、前記収納部内に収納された錠剤が取り出される際に、前記取り出し口を前記外筒の外部に突出させる突出口が設けられており、前記外筒と前記内筒の一方又は双方に、前記収納部から移動する錠剤の姿勢を変換させて前記取り出し口に導く姿勢変換部と前記錠剤の移動を規制する規制部が設けられていることを特徴とする。
【０００８】
本態様によれば、錠剤が投入された姿勢で収納される収納部から錠剤の取り出し口までの間に姿勢変換部が設けられているため、例えば、錠剤を錠剤の平面（タブレットでいえば偏平な面）が錠剤の移動方向（下方）に対して交差するような姿勢で投入すれば、すなわち、収容部により多くの錠剤が収納されるような姿勢で投入すれば、その姿勢で収容部に収容され、その後、姿勢変換部によって錠剤の平面が移動方向と同じ方向になるように錠剤の姿勢が変換されるので、取り出し口において、変換された後の姿勢で錠剤を取り出すことができる。
【０００９】
このため、特許文献１に記載された従来の錠剤用容器のように、錠剤を収容する収容空間を大きくする必要が無く容器本体をコンパクトな構造にすることができる。よって、本態様の錠剤用容器は携帯用としても用いることができる。
また、前記収容部から取り出し口に移動する錠剤の移動を規制する規制部が設けられていることから、変換された後の錠剤の姿勢を規制することもできるので、取り出す錠剤の次位の錠剤（取り出す錠剤の上にある錠剤）を規制して、錠剤を１錠ずつ取り出すことが可能となる。
【００１０】
本発明の第２の態様に係る錠剤用容器は、第１の態様において、前記姿勢変換部と前記規制部は、前記内筒に設けられており、前記収納部と前記取り出し口の間において、前記姿勢変換部は、前記収納部と前記規制部の間に設けられ、前記規制部は、前記姿勢変換部と取り出し口の間に設けられていることを特徴とする。
【００１１】
本態様によれば、外筒に対してスライド可能な内筒に姿勢変換部と規制部が設けられ、内筒の上端を塞ぐキャップ側から収納部、姿勢変換部、規制部、取り出し口の順番でそれぞれが内筒に設けられているので、内筒以外の部分に姿勢変換部や規制部を設けることなく、キャップ部分を押して内筒をスライドさせることにより第1の態様と同様の効果を得ることができる。
【００１２】
本発明の第３の態様に係る錠剤用容器は、第１又は第２の態様において、前記規制部は、前記内筒がスライドして前記取り出し口を前記突出口に突出させる際に、取り出し口から取り出される最下位の錠剤の上にある次位の錠剤を、前記規制部に対向する面に押し付けて、前記規制部と前記対向する面とで挟持することを特徴とする請求項１又は請求項２に記載された錠剤用容器。
【００１３】
本態様によれば、内筒がスライドして前記取り出し口を前記突出口に突出させる過程において、取り出し口から取り出される最下位の錠剤の上にある次位の錠剤を、規制部に対向する面に押し付けて、規制部と規制部に対向する面とで挟持するので、取り出し口から錠剤を出した後であっても、前記次位の錠剤は規制部とそれに対向する面とで挟持されているため、落下してくることはない。そのため、錠剤を確実に１錠ずつ取り出すことができる。
【００１４】
本発明の第４の態様に係る錠剤用容器は、第３の態様において、前記規制部は、前記外筒の下端から上端に向かって立設された接触部と当接することにより、前記次位の錠剤を、前記規制部の対向する面に押し付けることを特徴とする。
【００１５】
本態様によれば、内筒に設けられた規制部が、当該内筒がスライドする過程において、前記接触部と接触することにより、当該接触部から受ける力によって、前記次位の錠剤を規制部と規制部に対向する面とで、より一層しっかりと挟持することができる。
【００１６】
本発明の第５の態様に係る錠剤用容器は、第１から第４の態様のいずれか一の態様において、前記規制部は、弾性変形可能な部材で形成されていることを特徴とする。
本態様によれば、規制部が弾性変形可能な部材で形成されているので、錠剤にしっかりとフィットして、確実に錠剤を規制することができる。
【００１７】
本発明の第６の態様に係る錠剤用容器は、第１から第５の態様のいずれか一の態様において、前記取り出し口には、前記錠剤が取り出される方向に向かって凹面となるような面を有する錠剤取り出し補助部が形成されていることを特徴とする。
【００１８】
本態様によれば、錠剤取り出し補助部は、錠剤が取り出される方向に向かって凹面となるような面を有しているので、当該面に沿って最下位の錠剤が移動可能なため当該錠剤が取り出し易くなる。
【００１９】
本発明の第７の態様に係る錠剤用容器は、第１から第６の態様のいずれか一の態様において、前記姿勢変換部は、前記収容部に収容されている錠剤を前記取り出し口方向に送る経路を狭くする方向に傾斜した傾斜面で形成されていることを特徴とする。
【００２０】
本態様によれば、姿勢変換部が、収容部に収容されている錠剤を取り出し口方向に送る経路を狭くする方向に傾斜した傾斜面で形成されているので、錠剤が収容部に収容されている姿勢から取り出し口で取り出される姿勢への返還をスムーズかつ確実に行うことができる。
【００２１】
本発明の第８の態様係る錠剤用容器は、第１から第７の態様のいずれか一の態様において、前記外筒と前記内筒は、前記外筒の下端を形成する端面に対応する内側の面と前記内筒との間に設けられた付勢部材によって互いに付勢されていることを特徴とする。
【００２２】
本態様によれば、外筒と内筒の間に互いを付勢するような付勢部材が設けられているので、内筒の上端を塞ぐキャップを押したり離したりすることによって、内筒が外筒に対して相対的にスライドし、取り出し口が外筒の外部に突出したり内部に収納されたりすることが可能なため、簡単に収容部に収容された錠剤を一錠ずつ取り出すことができる。
【発明の効果】
【００２３】
本発明は、錠剤用容器をコンパクトな構造にすることができるとともに、簡単な操作で錠剤を１錠ずつ確実に取り出すことができる効果を有している。
【図面の簡単な説明】
【００２４】
【図１】本発明の実施形態に係る錠剤用容器において、錠剤が収容されている状態の    外観図。
【図２】図１の状態における錠剤用容器のI−Iの縦断面図。
【図３】本発明の実施形態に係る錠剤用容器において、錠剤が取り出される状態の外    観図。
【図４】図３の状態における錠剤用容器のII−IIの縦断面図。
【図５】本発明の実施形態に係る錠剤用容器における内筒の斜視図。
【発明を実施するための形態】
【００２５】
以下、図面を参照しながら本発明に係る錠剤用容器の実施形態について説明するが、本発明は当該実施形態に限定されるものではない。
【００２６】
先ず、図１及び図２を参照にしながら本発明の実施態様に係る錠剤用容器において、当該容器内に錠剤が収容されている状態について説明する。
図１は、本発明の実施形態に係る錠剤用容器１において、錠剤が収容されている状態の外観図であり、図２は図１の状態における錠剤用容器のI−Iの縦断面図である。
【００２７】
図１において、本態様の錠剤用容器１は、外筒２、内筒３及び内筒３の上端を塞ぐキャップ４から構成されており、キャップ４を下方に押すことによって外筒２に対して相対的に内筒３がスライドする構造になっている。本態様では、外筒２は直方体状の筒体形状をしているが、当該形状に限られるものではない。例えば、円柱状の筒体形状であってもよい。
また、外筒２及び内筒３の素材については、成形し易い樹脂が好ましいが金属であってもよい。
【００２８】
次に、図２を参照しながら本態様の錠剤用容器１の詳細な構造について説明する。
本態様では、偏平な錠剤、いわゆるタブレットを収納および取り出す錠剤用容器について説明するが、もちろん錠剤はタブレットに限られるものではない。一般に公知な錠剤、例えばカプセル等であってもよい。
【００２９】
本態様の錠剤用容器１を構成する内筒３には、タブレットｔを収納する収納部３１とタブレットｔを取り出す取り出し口３４が設けられている。そして、外筒２の下端には、収納部３１内に収納されたタブレットｔ（ｔ１）が取り出される際に、前記取り出し口３４を外筒３の外部に突出させる突出口２１（図４参照）が設けられている。
【００３０】
また、内筒３には、キャップ４側から取り出し口３４側に向かって、前記収納部３１、当該収納部３１から移動する錠剤ｔの姿勢を変換させて取り出し口３４に導く姿勢変換部３２、取り出し口３４において取り出される最下位のタブレットｔ１の上にある次位のタブレットｔ２の移動を規制する規制部３３、取り出し口３４の順番で各部が設けられている構造となっている。
【００３１】
ここで、姿勢変換部３２は、収容部３１に収容されているタブレットｔを取り出し口３４方向に送る経路を狭くする方向に傾斜した傾斜面ｄで形成されている。このためタブレットｔは傾斜面に沿って移動するので、タブレットｔの姿勢変換がスムーズに行うことができる。
【００３２】
また、初期状態においては、錠剤容器１のキャップ４は取り付けられておらず、図２の状態にするには、すなわち、タブレットを詰める際には、内筒３上端部から、収納部３１にタブレットの偏平な面が移動方向（下方）に対して交差するような姿勢で投入した後、キャップ４を取り付けて閉める。そうすれば、投入されたタブレットｔは重力によって取り出し口３４の方へ移動するが、傾斜面ｄが形成されていることで、移動している際に、簡単に姿勢を変えて、タブレットの偏平な面が移動方向と同じ方向になるように姿勢が変換され図２の状態が完成する。
収容されているタブレットｔが、全て取り出されて無くなった場合は、キャップ４を取り外し、上述したタブレットｔを詰める際と同様の手順で、錠剤容器１にタブレットｔを再充填すればよい。
【００３３】
なお、図２においては、まだ、最下位のタブレットｔ１が取り出される状態にないので、当該最下位のタブレットｔ１の上にある次位のタブレットｔ２は、規制部３３によって規制されている状態にはない。当該規制部材３３の先端には、次位のタブレットｔ２と反対方向に突出する凸部３３１が設けられている。当該凸部３３１は、最下位のタブレットｔ１が取り出される状態において、外筒２の端面２４から上端に向かって立設された接触部２２と当接する部分である。詳しくは後述する。
【００３４】
上述した構造により、収容部３１においては、タブレットｔの偏平な面が移動方向（下方）に対して交差する姿勢で収容されているが、姿勢変換部によってタブレットｔの偏平な面が移動方向と同じ方向になるように姿勢が変換されるので、錠剤用容器１の高さ方向が大きくならないため、錠剤用容器全体をコンパクトな構成とすることが可能となる。
【００３５】
分かり易く説明すれば、図２に示したように、横置きの姿勢で収納されているタブレットｔが縦置きの姿勢に変換されるので（タブレットｔ１、ｔ２）、特許文献１に記載されたような従来の錠剤容器と同量の錠剤を収納する場合には、錠剤用容器１の高さ方向を大きくする必要はなく、錠剤用容器１をコンパクトにすることができる。このため、本態様の錠剤用容器は携帯用として好適である。
【００３６】
ここで、外筒２と内筒３の関係について説明する。
内筒３は、外筒２に対して相対的にスライド可能に設けられている。そして、本態様では、収容部３１に設けられ姿勢変換部３２に繋がる錠剤係止部３６の外筒２側の面と、外筒２の下端の一部を形成する端面２４に対応する内側の面２３とに接するように設けられ、内筒３と外筒２の両者を互いに付勢し合う付勢部材の一態様であるコイルバネ５によって、内筒３は外筒２内に自動的に戻る状態になっている。
なお、付勢部材はコイルバネに限らない。付勢力を有するものであればよく、材質も金属製、樹脂製などの物が挙げられる。また、内筒３、外筒２に対して別体又は一体に設けてもよい。
【００３７】
次に、図３、図４及び図５を参照にしながら本発明の実施形態に係る錠剤用容器において、錠剤が取り出される状態および内筒３について説明する。なお、図１及び図２の内容と重複する部分については、その詳細な説明は省略する。
【００３８】
図３は本発明の実施形態に係る錠剤用容器１において、錠剤が取り出される状態の外観図であり、図４は図３の状態における錠剤用容器１のII−IIの縦断面図であり、図５は本発明の実施形態に係る錠剤用容器１における内筒の斜視図である。
【００３９】
図３に示したように、錠剤（最下位のタブレットｔ１）を取り出せる状態にするには、キャップ４を矢印方向に押し込み、外筒２の下端に設けられた突出口２１から内筒３に設けられた取り出し口３４を突出させた状態にすればよい。
【００４０】
次に、図４（適宜図２、図５）を参照して、錠剤（最下位のタブレットｔ１）が取り出される状態になっている本態様の錠剤用容器１の詳細な構造について説明する。
図４に示したように、最下位のタブレットｔ１が取り出される状態においては、その上にある次位のタブレットｔ２は、規制部３３によって移動が規制されている。すなわち、最下位のタブレットｔ１を取り出しても、落下しない様に規制部３３によって支持される構造になっている。当該構造により、本態様の錠剤用容器１は、１錠ずつ錠剤（タブレット）を取り出すことができる。
【００４１】
本態様の規制部３３は、取り出し口側に固定端を設け、反対側に自由端で構成されている、弾性変形可能なベント片が使用されている（図５参照）。規制部３３の一態様であるベント片の先端には、固定端側から自由端側に向かって緩やかな傾斜も持ちながら次位のタブレットｔ２側と反対方向に突出する凸部３３１（図２参照）が設けられている。なお、規制部３３は、弾性変形可能なベント片に限定されるものではない。
また、次位のタブレットｔ２の上にあるタブレットｔは、内筒に設けられた錠剤係止部３６によって収納部３１に係止されている。
【００４２】
ここで、最下位のタブレットｔ１（以下、「タブレットｔ１」という）の上にある次位のタブレットｔ２（以下、「タブレットｔ２」という）の移動を規制する構造について説明する。
【００４３】
当該構造は、本態様における錠剤用容器１の状態が、図２に示すように、錠剤用容器１にタブレットｔ、タブレットｔ１、タブレットｔ２が収納されて、外筒２に設けられた突出口２１から内筒３に設けられた取り出し口３４が突出していない状態（以下、「閉状態」という）から、図４に示すように、タブレットｔ１が取り出される状態、すなわち、突出口２１から内筒３に設けられた取り出し口３４が突出している状態（以下、「開状態」という）に移動する際に、規制部３３がタブレットｔ２を規制部３３に対向する面（外筒２の内周面）に押し付けて、規制部３３であるベント片と前記対向する面とで挟持することによってタブレットｔ２を支持する構造である。
【００４４】
さらに、詳しく述べることとする。
錠剤容器１の状態を、「閉状態」（図２）から「開状態」（図４）にするためには、キャップ４を押し込み内筒３が外筒２に対して相対的にスライドして、突出口２１から取り出し口３４を突出させることが必要となる。
【００４５】
この際、内筒３がスライド移動する過程において、内筒３に設けられた規制部３３であるベント片の先端に設けられた凸部３３１（図２参照）が、内筒３の移動とともに外筒２の下端２４から上端に向かって立設された接触部２２と当接しつつ（図４）、ベント片が徐々にタブレットｔ２側に移動して、タブレットｔ２を押圧すると共に、規制部３３であるベント片に対向する面（外筒２の内周面）に押し付けて挟持する。
なお、凸部３３１は、「閉状態」にある場合は接触部２２とは接触していない（図２）。
【００４６】
この様な規制部３３（ベント片）の構成により、タブレットｔ２の移動を規制することができる。更に、タブレットｔ２は姿勢変換部３２によって、姿勢が変換され、偏平な面が規制部３３であるベント片と接触することになるので、接触面積も大きくなり、より一層安定してタブレット２を規制（挟持）することが可能となる。
【００４７】
次に、錠剤取り出し補助部３５について説明する。図４、図５に示されているように、錠剤取り出し口３４には、タブレットｔ１が取り出される方向に向かって凹面となるような円弧状の面を有する錠剤取り出し補助部３５が形成されている。
このため、凹面に沿って移動してきたタブレットｔ１は取り出される方向にその姿勢を変えることが出来る。
【００４８】
従って、タブレットｔ１は円弧状の面に沿って取り出し口３４に移動してくるのでタブレットｔ１を簡単に取り出すことができる。また、タブレットｔ１が前記円弧上の面に載った状態であっても、タブレットｔ１を指で手前（取り出す方向）に引けば、タブレットｔ１が円弧状の面に沿って移動するので、簡単にタブレットｔ１を取り出すことができる。
【００４９】
タブレットｔ１を取り出した後は、キャップ４を離すことにより付勢部材５であるコイルバネの付勢力によって、内筒３が外筒２に対し相対的にスライドして、「開状態」（図４）から「閉状態」（図２）の状態に戻る。
詳しく述べると、「閉状態」となる際に、タブレットｔ２は規制部３３のベント片と外筒２の内周面との挟持から解放され、重力の作用によって取り出し口３４側に移動し、次に取り出されるタブレットｔ１となり、更にタブレットｔ２の上にあったタブレットｔが姿勢変換部３２によって姿勢が変換されて、重力の作用により取り出し口３４側に移動し次のタブレットｔ２になり、図２の状態である「閉状態」となる。
【００５０】
最後に、図５を参照にして内筒３について説明する。図１から図４において説明した内容と重複する部分については、その詳細な説明は省略する。
図５には、本発明の実施形態に係る内筒３の斜視図が示されている。
【００５１】
内筒３において、収容部３１は上端部にタブレットｔを投入する投入口を有する円柱状の筒体で形成され、収容部３１の上部に設けられた外周面にはネジ山３７が設けられ、キャップ４の内周面に形成されたネジ溝４１（図２、図４参照）と螺合して、収納部３１を封止する。
【００５２】
ネジ山３７が形成された（キャップ４が設けられている部分）下方には、本態様において直方体の筒体形状を有する外筒２とスライド可能とするため、円柱の外周面を外筒２の形状に合わせるために一定の長さの直方体形状に加工している直方体形状加工部Ａが設けられている。
【００５３】
直方体形状加工部Ａの下方には収容部３１の円柱状の筒体が設けられ、さらにその先（下方）は、収容部３１の下端の少し手前から内筒３の下端部まで、タブレットｔ１、タブレットｔ２が対向する外筒２の内周面側（図２参照）が開放された箱型形状で構成されている。
そして、当該箱型形状において、付勢部材５であるコイルバネと対向する面には、収容部３１の下端の端部から姿勢変換部３２（傾斜面ｄ）、規制部３３であるベント片が設けられ、箱型形状下端の面（内筒３の下端の端面に対応する内側の面）には、錠剤取り出し補助部３５が形成されている。
【００５４】
以上が本発明の実施形態についての説明であるが、本発明は上述した態様に限られるものではない。
例えば、本態様では外筒２の形状を直方体の筒体形状としたが、円柱状の筒体形状としてもよい。その際は、内筒が外筒に対して相対的にスライド可能となるように、内筒の形状を外筒の形状に合わせて加工すればよい。
【００５５】
また、本態様では外筒２と外筒３の間に付勢部材５を設けたが、付勢部材５を設けない構造であってもよい。この場合は、キャップ４を押して「開状態」にした後タブレットｔ１を取り出し、突出した内筒の下端部を押して「閉状態」とすればよい。
さらに、本態様では、姿勢変換部３２によって、姿勢変換されているタブレットｔがタブレットｔ１とタブレットｔ２の２錠の態様であるが、２錠以上の態様とすることも可能である。
【産業上の利用可能性】
【００５６】
本発明によれば、構造自体がコンパクトで、錠剤を１錠ずつ確実に取り出すことができる錠剤用容器への分野に用途展開できる。
【符号の説明】
【００５７】
１    ：錠剤用容器
２    ：外筒
３    ：内筒
４    ：キャップ
５    ：付勢部材（コイルバネ）
２１  ：突出口
２２  ：接触部
２３  ：外筒の下端を形成する端面に対応する内側の面
２４  ：外筒の下端を形成する端面
３１  ：収納部
３２  ：姿勢変換部
３３  ：規制部（ベント片）
３３１：凸部
３４  ：取り出し口
３５  ：錠剤取り出し補助部
３６  ：錠剤係止部
３７  ：ネジ山
４１  ：ネジ溝
Ａ    ：直方体形状加工部
【図１】
2019119479.tif 000003
【図２】
2019119479.tif 000004
【図３】
2019119479.tif 000005
【図４】
2019119479.tif 000006
【図５】
2019119479.tif 000007